(57)【要約】【課題】ねじを回しても一方の部材と他方の部材の係止が維持され、かつ、それらの係止を外すことができる、ロック方法。【解決手段】長穴とツメ部とを有する第１の板金３を、ねじ穴と開口とを有する第２の板金４によって保持し、ツメ部を開口から下方へ突出させ、貫通穴を有する一方の部材２の外面２’’から、ねじ５を、貫通穴と長穴とねじ穴を貫通させ、２つの板金３、４をねじ５に吊り下げ、ツメ部を、他方の部材１の突起部７の上面上を摺動させつつ一方の部材２と他方の部材１を互いに接近させ、重力によってツメ部を突起部上のツメ穴に進入させ、２つの板金３、４を、突起部７に対して移動不能にした状態で、ねじ５を回転させ、他方の部材１と２つの板金３、４を、一方の部材２に向けて移動させ、一方の部材２の係止部９ａに第１の板金３を係止し、他方の部材１と２つの板金３、４を、一方の部材２に対して、ねじ５の長手方向に関して移動不能に固定する。【選択図】図１０
2012041985.tif 000002
【特許請求の範囲】
【請求項１】
１対の部材を互いに接合された状態に保つロック方法であって、
長穴と前記長穴の長手方向と同じ方向に突出するツメ部とを有する第１の板金を、内ねじを有する貫通孔であるねじ穴と前記ツメ部が貫通可能な開口とを有する第２の板金によって保持して、前記長穴の一部と前記ねじ穴が対向するとともに前記ツメ部が前記開口を介して下方へ突出する状態を保ち、
一方の部材の外面から、ねじを、前記一方の部材に設けられている貫通穴を貫通させ、かつ前記第１の板金の前記長穴を貫通させるとともに前記第２の板金の前記ねじ穴に螺合しつつ、該ねじ穴を貫通させて、他方の部材に向けて突出させることにより、前記第１の板金および前記第２の板金を前記ねじに吊り下げた状態にし、
前記第１の板金の前記ツメ部を、前記他方の部材に設けられて前記一方の部材に向かって突出している突起部の上面上を相対的に摺動させながら前記１対の部材を互いに接近させて、前記ツメ部が、前記突起部の前記上面に設けられたツメ穴に対向する位置に到達した時点で、前記ねじを前記長穴内で相対的にスライドさせながら前記第１の板金を重力によって降下させて前記ツメ部を前記ツメ穴に進入させ、前記第１の板金およびそれを保持する前記第２の板金を、前記ねじの長手方向に関して、前記突起部に対して相対的に移動不能にし、
前記第１の板金および前記第２の板金が前記突起部に対して相対的に移動不能になった状態で、前記ねじを回転させることにより、前記突起部を有する前記他方の部材と前記第１の板金および前記第２の板金とを、前記一方の部材に向けてさらに接近するように一体的に移動させ、
前記第１の板金および前記第２の板金が前記一方の部材の所定の位置に到達した時点で、前記一方の部材の前記所定の位置に設けられた係止部によって前記第１の板金を係止して、前記他方の部材と前記第１の板金および前記第２の板金とを、前記一方の部材に対して、前記ねじの長手方向に関して移動不能に固定することを特徴とする、ロック方法。
【請求項２】
キー部材によって前記第１の部材のみを持ち上げて前記ツメ部を前記ツメ穴から脱出させることにより、前記第１の板金およびそれを保持する前記第２の板金を、前記ねじの長手方向に関して、前記突起部に対して相対的に移動可能にすることでロック解除が可能である、請求項１に記載のロック方法。
【請求項３】
１対の部材を互いに接合された状態に保つロック機構であって、
長穴と前記長穴の長手方向と同じ方向に突出するツメ部とを有する第１の板金と、
内ねじを有する貫通孔であるねじ穴と前記ツメ部が貫通可能な開口とを有し、前記第１の板金を保持可能な第２の板金と、
一方の部材の外面から、前記一方の部材に設けられている貫通穴を貫通し、かつ前記第１の板金の長穴を貫通させるとともに前記第２の板金の前記ねじ穴に螺合しつつ該ねじ穴を貫通し、他方の部材に向けて突出することにより、前記第１の板金および第２の板金を、前記長穴の一部と前記ねじ穴が対向するとともに前記ツメ部が前記開口を介して下方へ突出する状態に保ちつつ吊り下げることができるねじと、
前記他方の部材に設けられて前記一方の部材に向かって突出している突起部であって、前記第２の板金の前記開口を介して下方に突出する前記第１の板金の前記ツメ部と対向する位置にある上面と、前記上面に設けられており、前記ツメ部が進入することにより前記第１の板金およびそれを保持する前記第２の板金を前記ねじの長手方向に関して前記突起部に対して相対的に移動不能にするツメ穴と、を有する突起部と、
前記一方の部材の所定の位置に設けられており、前記第１の板金を係止して、前記第１の板金とそれを保持する前記第２の板金とを前記ねじの長手方向に関して移動不能に固定する係止部と、
を有するロック機構。
【請求項４】
前記ツメ部が前記ツメ穴に進入した状態の前記第１の板金に当接して、前記第１の板金を持ち上げて前記ツメ部を前記ツメ穴から脱出させる、ロック解除用のキー部材をさらに有する、請求項３に記載のロック機構。
【請求項５】
前記一方の部材に、前記キー部材が挿入可能な挿入口が設けられている、請求項４に記載のロック機構。
【請求項６】
前記第１の板金を保持した状態で前記第２の板金から前記第１の板金の側部の一部が露出するように、前記第２の板金には切欠きが設けられている、請求項３から５のいずれか１項に記載のロック機構。
【請求項７】
前記他方の部材の前記突起部が挿入可能な間隔を置いて、前記一方の部材にガイドが２つ設けられている、請求項３から６のいずれか１項に記載のロック機構。
【請求項８】
前記係止部として、前記ガイドに前記第１の板金が嵌る溝が設けられている、請求項７に記載のロック機構。
【請求項９】
前記一方の部材の前記ガイドの側部に、前記第２の板金が配置可能な間隔を有した側壁がそれぞれ設けられている、請求項７または８に記載のロック機構。
【請求項１０】
前記キー部材の先端はテーパー形状になっている、請求項４に記載のロック機構。
【発明の詳細な説明】
【技術分野】
【０００１】
本発明は、防犯機器等に使用される筐体のロック方法に関する。
【背景技術】
【０００２】
近年、犯罪の増加に伴い、防犯に対する意識が高まっている。そのため、店舗、オフィス、そしてマンションなどに防犯カメラなどの防犯機器の設置が増えている。
【０００３】
防犯機器として、例えば防犯カメラは、ベースとカバーで構成される筐体の内部に配置され、保護されている。防犯カメラに限らず、防犯機器の多くの筐体は、ベースとカバーとで構成されている。ベースとカバーとの係止を市販されているような一般的なねじで行なうと、当然のことながら容易に開けられ、筐体内のカメラが破壊されたりするおそれがある。そこで、ベースとカバーとの係止を外れないようにするために、特殊な工具を使用しないと動かすことができないねじやボルトが広く使われている。また、ベースの外部からボルトを挿入し、ベースとカバーとを係止する場合、ボルトの頭部と、カバーのボルト穴にラチェット歯を設け、一方の端部はボルトのラチェット歯と当接し、他方の端部は、カバーのボルト穴に設けられたラチェット歯と当接するようになっているリング状ツメ部材を配置することで、ボルトを一方向、つまり、締める方向にしか回らないようにして、ボルトを一度締めたら緩めることのできなくする方法などもある（例えば特許文献１）。
【先行技術文献】
【特許文献】
【０００４】
【特許文献１】特開２００６−２８３８８９号公報
【発明の概要】
【発明が解決しようとする課題】
【０００５】
最近はネットワークを通じた通信販売などで特殊な工具を入手できる場合が増えている。そのため、ベースとカバーとの係止に特殊なねじを使用し、特殊な工具を使用しないとねじを回せないようにしたとしても、ベースとカバーの係止を容易に外されてしまう危険性がある。
【０００６】
また、一度締めたら緩められないボルトを使用した場合、カバーを外すことができないので、防犯機器内部のメンテナンスなどができず、ベースとカバーとの係止を外すためには、係止部を破壊するしかなく、利便性に乏しい。
【０００７】
本発明の目的は、特殊なねじや特殊な工具を使ってもベースとカバーの係止を外される危険があり、また、２度と外れないようにベースとカバーを係止すると利便性に乏しくなってしまう、といった課題を解決する、ロック方法を提供することである。
【課題を解決するための手段】
【０００８】
本発明は、１対の部材を互いに接合された状態に保つロック方法である。長穴と長穴の長手方向と同じ方向に突出するツメ部とを有する第１の板金を、内ねじを有する貫通孔であるねじ穴とツメ部が貫通可能な開口とを有する第２の板金によって保持して、長穴の一部とねじ穴が対向するとともにツメ部が開口を介して下方へ突出する状態を保つ。次に、一方の部材の外面から、ねじを、一方の部材に設けられている貫通穴を貫通させ、かつ第１の板金の長穴を貫通させるとともに第２の板金のねじ穴に螺合しつつ、該ねじ穴を貫通させて、他方の部材に向けて突出させることにより、第１の板金および第２の板金をねじに吊り下げた状態にする。
【０００９】
そして、第１の板金のツメ部を、他方の部材に設けられて一方の部材に向かって突出している突起部の上面上を相対的に摺動させながら１対の部材を互いに接近させて、ツメ部が、突起部の上面に設けられたツメ穴に対向する位置に到達した時点で、ねじを長穴内で相対的にスライドさせながら第１の板金を重力によって降下させてツメ部をツメ穴に進入させ、第１の板金およびそれを保持する第２の板金を、ねじの長手方向に関して、突起部に対して相対的に移動不能にする。
【００１０】
第１の板金および第２の板金が突起部に対して相対的に移動不能になった状態で、ねじを回転させることにより、突起部を有する他方の部材と第１の板金および第２の板金とを、一方の部材に向けてさらに接近するように一体的に移動させ、第１の板金および第２の板金が一方の部材の所定の位置に到達した時点で、一方の部材の所定の位置に設けられた係止部によって第１の板金を係止して、他方の部材と第１の板金および第２の板金とを、一方の部材に対して、ねじの長手方向に関して移動不能に固定する。
【発明の効果】
【００１１】
ねじを回しても一方の部材と他方の部材の係止が維持されつつ、簡便に一方の部材と他方の部材の係止を外すことができる。
【図面の簡単な説明】
【００１２】
【図１】本発明に係るロック機構を有する筐体の一実施形態の分解斜視図である。
【図２】ベースの内側の斜視図である。
【図３】カバーの概略構成図であり、（ａ）は図１のカバーのＡ部の拡大概略図、（ｂ）はカバーの外面の斜視図である。
【図４】図１のスライド板金の概略構成図である。
【図５】ガイド板金の概略構成図であり、（ａ）はガイド板金の材料である平板を折り曲げる前の状態の概略図、（ｂ）はガイド板金の斜視図である。
【図６】ベースとカバーとを係止するための手順を説明する図であって、（ａ）はカバーに組込み体とねじを装着する様子を示す概略図、（ｂ）は組込み体にねじを挿入したときの様子を示す拡大概略図である。
【図７】ガイド同士の間に突起部を挿入し始めたときの様子を示す筐体の断面斜視図である。
【図８】図７に示す状態よりもさらに突起部を挿入したときの様子を示す筐体の断面斜視図である。
【図９】スライド板金のツメ部の先端が突起部のツメ穴に嵌ったときの様子を示す筐体の断面斜視図である。
【図１０】ベースとカバーとが係止したときの様子を示す筐体の断面斜視図である。
【図１１】カバーの外部からキーを差し込む様子を示す筐体の斜視図である。
【図１２】キーをカバー内の奥に挿入したときの様子を示す筐体の断面斜視図である。
【図１３】ベースとカバーとの係止が外れたときの様子を示す筐体の断面斜視図である。
【発明を実施するための形態】
【００１３】
以下に、添付の図面に基づき、本発明の実施の形態を説明する。なお、同一の機能を有する構成には添付図面中、同一の番号を付与し、その説明を省略することがある。
【００１４】
図１は本発明に係るロック機構を有する筐体の一実施形態の分解斜視図であり、図２は、ベースの内側の斜視図である。図３は、カバーの概略構成図であり、（ａ）は図１のカバーのＡ部の拡大概略図、（ｂ）はカバーの外面の斜視図である。図４は、図１のスライド板金の概略構成図である。図５は、ガイド板金の概略構成図であり、（ａ）はガイド板金の材料である平板を折り曲げる前の状態の概略図、（ｂ）はガイド板金の斜視図である。
【００１５】
なお、ここで説明する筐体は、特定の用途に限定されるのではなく、筐体のカバー（一方の部材）とベース（他方の部材）とが開閉する構成であるならば何でもよい。
【００１６】
内部空間を有する中空の筐体が、互いに固定される１対の部材、すなわちベース１とカバー２とで構成されている。このベース１とカバー２との係止を外れないようにするためのロック機構に用いる部材として、第１の板金であるスライド板金３と、第２の板金であるガイド板金４と、ねじ５と、が用いられる。
【００１７】
ベース１について詳細に説明する。ベース１は外面１’’と外面１’’を囲む外壁１’が設けられ、一面が開口している箱形状をしている。図２に示すように、ベース１には、ベース１の外壁１’の内側から外壁１’よりも突出した突起部７が設けられている。この突起部７の先端部７ａは、突起部７が外壁１’に接している面に向かって、先細りになるテーパー形状をしている。そして、先端部７ａには、ツメ穴７ｂが設けられている。
【００１８】
次に、カバー２について詳細に説明する。カバー２は外面２’’と外面２’’を囲む外壁２’が設けられ、一面が開口している箱形状をしている。図３（ａ）に示すように、カバー２の外壁２’の、ベース１の突起部７と対応する位置には、外壁２’の内側から垂直に突出し、かつ外面２’’から外壁２’の先端に向かう方向に延びる２つのガイド９が間隔をおいて平行に設けられている。このガイド９同士の間隔は、ベース１の突起部７の幅とほぼ同じになっており、ベース１の突起部７はガイド９に沿ってガイド９同士の間に挿入可能となっている。さらに、ガイド９にはそれぞれ溝９ａが設けられている。この溝９ａがスライド板金３を係止する係止部となる。また、２つのガイド９の、互いに対向していない側には、ガイド９と平行に、かつガイド９よりも突出した側壁１０がそれぞれ設けられている。また、図３（ｂ）に示すように、カバー２の外面２’’には、窪み１１が設けられ、この窪み１１の中心には、カバー２を貫通する貫通穴であるねじ穴１１ａが設けられている。さらに、一方のガイド９と一方の側壁１０との間の位置のカバー２の外面２’’に、カバー２を貫通する挿入口１２が設けられている。
【００１９】
なお、ベース１の外壁１’の先端から突起部７のツメ穴７ｂまでの距離は、カバー２の外壁２’の先端から溝９ａまでの距離とほぼ等しくなっている。
【００２０】
次に、スライド板金３について詳細に説明する。図４に示すように、スライド板金３はそれぞれ長辺の長さが異なる３つの長方形の平板を、長辺が一番長い平板の長辺に沿って、２番目に長辺が長い平板を並べ、さらに一番長辺が短い平板を並べた形状をしている。つまり、スライド板金３には２段の段部３ａが形成される。一番長辺が短い平板部分がツメ部３ｃとなり、２番目に長辺が長い平板部分が嵌り部３ｂとなり、一番長辺が長い平板部分が掛かり部３ｄとなる。ツメ部３ｃの幅は、ベース１の突起部７に設けられたツメ穴７ｂと同じであり、ツメ部３ｃはツメ穴７ｂに挿入可能となっている。ツメ部３ｃの高さは、カバー２のガイド９の高さよりも低くなっている。また、嵌り部３ｂの幅は、カバー２のガイド９同士の間隔よりも大きくなければならない。さらに、スライド板金３の中央部には、ツメ部３ｃが突出する方向と同じ方向に延びる長穴状の開口部３ｅが設けられている。なお、スライド板金３の幅、つまり掛かり部３ｄの幅は、カバー２の側壁１０同士の間の幅よりも小さくなっている。また、スライド板金３の厚さは、カバー２のガイド９の溝９ａの幅よりも小さくなっている。
【００２１】
次に、ガイド板金４について詳細に説明する。
【００２２】
図５（ｂ）に示すように、ガイド板金４は、長方形の平板状の材料を２つに折り曲げた構成である。このガイド板金４の平板状の材料は、一方の長辺に切欠き４ａが設けられ、中央には短辺と平行な方向に延びる開口であり、スライド板金３の嵌り部３ｂおよびツメ部３ｃが挿入されるスライド板金用穴４ｂが設けられ、さらに、ねじ溝が掘られている貫通孔である穴４ｃが２つ設けられている。つまり、このガイド板金４の平板状の材料は、長辺の中心で線対称な形状になっている。そして、この平板を、スライド板金用穴４ｂの２つの長辺（ガイド板金４の短辺と平行な辺）に沿って、または２つの長辺から間隔を置いた位置で長辺に沿って、穴４ｃ同士が近づく方向に折り曲げられることによりガイド板金４が形成されている。この折り曲げられてできる隙間１３に、スライド板金３が配置され、スライド板金３がガイド板金４に保持される。また、ガイド板金４の幅（図４（ａ）では短辺の長さ）は、カバー２の側壁１０同士の幅よりも小さくなっている。また、切欠き部４ａが設けられている位置でのガイド板金４の幅は、スライド板金３の幅よりも小さくなっている。実際の使用形態におけるガイド板金４の厚さは、平板の厚さ×２＋隙間１３の厚さとなり、この値は、カバー２のガイド９の溝９ａの幅よりも大きくなっている。
【００２３】
本実施形態で使用するねじ５は、特殊なねじである必要はなく、通常の市販されているもので構わない。
【００２４】
つぎに、実際にベース１とカバー２とを係止する手順を説明する。
【００２５】
まず、ガイド板金４の切欠き４ａから、スライド板金３の掛かり部３ｄの一部が露出するようにガイド板金４の隙間１３にスライド板金３を挿入し、ガイド４のスライド板金用穴４ｂからスライド板金３の嵌り部３ｂおよびツメ部３ｃが突出した状態で、カバー２のガイド９上に配置する（図６参照）。このとき、ガイド板金４の切欠き４ａが、前述したカバー２の挿入口１２の設けられている方向に位置するように配置する。以降、ガイド板金４の隙間１３にスライド板金３が挿入された状態のものを「組込み体２０」とする。そして、ガイド９の、溝９ａよりもカバー２の先端２’側の上面に、ガイド９が延びている方向に対して垂直となるように、組込み体２０を配置し、ガイド９同士の間にツメ部３ｃを配置する。このとき、スライド板金３の嵌り部３ｂは、ガイド９の上面と当接した状態である。
【００２６】
この状態で、カバー２の外面２’’から、窪み１１のねじ穴１１ａを介してねじ５を挿入し、ねじ５の先端をガイド板金４の穴４ｃとスライド板金３の開口部３ｅとを通過させる。つまり、ねじ５の先端は組込み体２０を貫通し、ベース１に向かって突出することになる。また、ガイド板金４の穴４ｃにはねじ溝が掘られているので、ねじ５を締める方向に回すと、組込み体２０は溝９ａの方向に移動し、ねじ５を緩む方向に回すと、組込み体２０は溝９ａとは反対の方向に移動する。なお、カバー２の側壁１０同士の間に組込み体２０が配置されているので、ねじ５を回転させたときにガイド板金４が側壁１０とぶつかるため、ガイド板金４がねじ５の回転に伴ってねじ５と一緒に回転しないようになっている。
【００２７】
次に、ねじ５を回転させずに、図７に示すように、ベース１の突起部７の先端部７ａをカバー２の外壁２’の内側に沿って、ガイド９同士の間に挿入していく。そして、このまま突起部７を挿入すると、スライド板金３は、ツメ部３ｃが突出する方向と同じ方向に延びる長穴状の開口部３ｅを有しているため、ベース１の先端部７ａのテーパー形状をした表面に沿って、スライド板金３のツメ部３ｃが持ち上げられる（図８参照）。さらに突起部７を挿入していくと、自重によりスライド板金３のツメ部３ｃの先端が、ベース１の突起部７のツメ穴７ｂに嵌った状態になる（図９参照）。この状態でねじ５を締める方向に回転させると、スライド板金３のツメ部３ｃが突起部７のツメ穴７ｂに嵌っているので、組込み体２０とベース１が一緒に溝９ａの方向に移動する。
【００２８】
さらにねじ５を締める方向に回転させると、カバー１の外壁１’とベース２の外壁２’とが当接するとともに、カバー２のガイド９の溝９ａの隙間に、ガイド板金４のスライド板金用穴４ｂからスライド板金３が自重により落下し、嵌り部３ｂが嵌まる。このとき、スライド板金３のツメ部３ｃは、ベース１のツメ穴７ｂに先端だけではなく、完全に嵌った状態になる（図１０（ａ）、（ｂ）参照）。そして、さらにねじ５を締める方向に回転させることで、ベース１とカバー２とが強く当接し、さらに、ガイド９の溝９ａに嵌っているスライド板金３の嵌り部３ｂが、溝９ａを形成しているガイド９の面であって、外壁２’の先端の方向を向いている面と強く当接する。これにより、ねじ５が緩まないようにしている。なお、ガイド板金４の幅は、溝９の幅より大きいので、溝９に嵌ってしまうことはない。
【００２９】
以上のようにしてベース１とカバー２の係止（ロック）が完了する。この状態で、仮にねじ５を締める方向、緩める方向、いずれの方向に回したとしても、スライド板金３がガイド９の溝９ａに嵌っており、かつ、ベース１の突起部７のツメ穴７ｂにスライド板金３のツメ部３ｃが嵌っているので、ベース１とカバー２の係止を外すことができない。
【００３０】
次に、ベース１とカバー２の係止を外す手順について説明する。
【００３１】
ベース１とカバー２の係止を外す（ロック解除する）ためには、キー３０を用いる。キー３０は、２つの隣り合う角が直角をした台形をした平板であって、両端が直角になっていない辺が、キー３０のテーパー部３０ａを形成している（図１２参照）。
【００３２】
まず、ねじ５を少し緩めておく。上述したように、カバー２の外面２’’には挿入口１２が設けられており、この挿入口１２から、キー３０を挿入する（図１１参照）。
【００３３】
挿入口１２からキー３０を挿入していくと、キー３０の先端のテーパー部３０ａと、ガイド板金４の切欠き４ａから露出するスライド板金３の掛かり部３ｄとが当接する。さらにキー３０を挿入すると、キー３０のテーパー部３０ａに沿ってスライド板金３が持ち上げられていく。そして、ベース１の突起部７のツメ穴７ｂからスライド板金３のツメ部３ｃが外れる。この状態でベース１をカバー２とは反対方向に移動させることで、ベース１とカバー２との係止を外すことができる。
【００３４】
以上のようにすることで、市販のねじや工具を用いてベース１とカバー２を係止することができ、一旦、ベース１とカバー２とを係止すると、ねじを回してもベース１とカバー２の係止を外すことができなくなる。そのため、防犯機器の防犯性を向上させることができる。また、キー３０でベース１とカバー２との係止を外すことができるので、メンテナンス等を容易に行なうことができる。なお、例えば防犯機器の場合、防犯機器のユーザーや管理者以外の者でもキー３０があればベース１とカバー２との係止を外してしまう可能性がある。そのため、キー３０はユーザーや管理者が厳重に管理しなければならない。
【００３５】
本発明は、スライド板金３の自重を利用してベース１とカバー２とを係止するロック機構であるため、このロック機構は主に壁にかけて利用する筐体に利用することができる。しかしながら、スライド板金の自重を利用する変わりに、バネなどでスライド板金３とガイド板金４とをカバー２のガイド９に押し付けるようにすることで、本発明のロック機構は、あらゆる筐体に利用することができる。
【００３６】
上記の実施形態の一部又は全部は、以下の付記のようにも記載されうるが、以下には限られない。
【００３７】
（付記１）１対の部材を互いに接合された状態に保つロック方法であって、
長穴と前記長穴の長手方向と同じ方向に突出するツメ部とを有する第１の板金を、内ねじを有する貫通孔であるねじ穴と前記ツメ部が貫通可能な開口とを有する第２の板金によって保持して、前記長穴の一部と前記ねじ穴が対向するとともに前記ツメ部が前記開口を介して下方へ突出する状態を保ち、
一方の部材の外面から、ねじを、前記一方の部材に設けられている貫通穴を貫通させ、かつ前記第１の板金の前記長穴を貫通させるとともに前記第２の板金の前記ねじ穴に螺合しつつ、該ねじ穴を貫通させて、他方の部材に向けて突出させることにより、前記第１の板金および前記第２の板金を前記ねじに吊り下げた状態にし、
前記第１の板金の前記ツメ部を、前記他方の部材に設けられて前記一方の部材に向かって突出している突起部の上面上を相対的に摺動させながら前記１対の部材を互いに接近させて、前記ツメ部が、前記突起部の前記上面に設けられたツメ穴に対向する位置に到達した時点で、前記ねじを前記長穴内で相対的にスライドさせながら前記第１の板金を重力によって降下させて前記ツメ部を前記ツメ穴に進入させ、前記第１の板金およびそれを保持する前記第２の板金を、前記ねじの長手方向に関して、前記突起部に対して相対的に移動不能にし、
前記第１の板金および前記第２の板金が前記突起部に対して相対的に移動不能になった状態で、前記ねじを回転させることにより、前記突起部を有する前記他方の部材と前記第１の板金および前記第２の板金とを、前記一方の部材に向けてさらに接近するように一体的に移動させ、
前記第１の板金および前記第２の板金が前記一方の部材の所定の位置に到達した時点で、前記一方の部材の前記所定の位置に設けられた係止部によって前記第１の板金を係止して、前記他方の部材と前記第１の板金および前記第２の板金とを、前記一方の部材に対して、前記ねじの長手方向に関して移動不能に固定することを特徴とする、ロック方法。
【００３８】
（付記２）キー部材によって前記第１の部材のみを持ち上げて前記ツメ部を前記ツメ穴から脱出させることにより、前記第１の板金およびそれを保持する前記第２の板金を、前記ねじの長手方向に関して、前記突起部に対して相対的に移動可能にすることでロック解除が可能である、付記１に記載のロック方法。
【００３９】
（付記３）ロック解除時に、前記一方の部材に設けられた挿入口から前記キー部材を挿入する、付記２に記載のロック方法。
【００４０】
（付記４）前記第２の板金の側部から前記第１の板金の側部を少なくとも部分的に露出させて、前記ロック解除時には前記キー部材を前記第１の板金の側部の前記第２の板金の側部から露出している部分に当接させる、付記３に記載のロック方法。
【００４１】
（付記５）前記一方の部材に間隔を置いて２つ設けられたガイドの間に前記第２の板金の前記開口から突出した前記ツメ部と、前記他方の部材の前記突起部とを位置させる、付記１から付記４のいずれか１項に記載のロック方法。
【００４２】
（付記６）前記係止部として前記一方の部材の前記ガイドに溝を設け、前記第１の板金が嵌るようにする、付記５に記載のロック方法。
【００４３】
（付記７）前記一方の部材の前記ガイドの側部にそれぞれ設けた２つの側壁の間に前記第２の板金を配置し、前記側壁によって前記ねじの回転に伴う前記第２の板金の回転を阻止する、付記５または６に記載のロック方法。
【００４４】
（付記８）１対の部材を互いに接合された状態に保つロック機構であって、
長穴と前記長穴の長手方向と同じ方向に突出するツメ部とを有する第１の板金と、
内ねじを有する貫通孔であるねじ穴と前記ツメ部が貫通可能な開口とを有し、前記第１の板金を保持可能な第２の板金と、
一方の部材の外面から、前記一方の部材に設けられている貫通穴を貫通し、かつ前記第１の板金の長穴を貫通させるとともに前記第２の板金の前記ねじ穴に螺合しつつ該ねじ穴を貫通し、他方の部材に向けて突出することにより、前記第１の板金および第２の板金を、前記長穴の一部と前記ねじ穴が対向するとともに前記ツメ部が前記開口を介して下方へ突出する状態に保ちつつ吊り下げることができるねじと、
前記他方の部材に設けられて前記一方の部材に向かって突出している突起部であって、前記第２の板金の前記開口を介して下方に突出する前記第１の板金の前記ツメ部と対向する位置にある上面と、前記上面に設けられており、前記ツメ部が進入することにより前記第１の板金およびそれを保持する前記第２の板金を前記ねじの長手方向に関して前記突起部に対して相対的に移動不能にするツメ穴と、を有する突起部と、
前記一方の部材の所定の位置に設けられており、前記第１の板金を係止して、前記第１の板金とそれを保持する前記第２の板金とを前記ねじの長手方向に関して移動不能に固定する係止部と、
を有するロック機構。
【００４５】
（付記９）前記ツメ部が前記ツメ穴に進入した状態の前記第１の板金に当接して、前記第１の板金を持ち上げて前記ツメ部を前記ツメ穴から脱出させる、ロック解除用のキー部材をさらに有する、付記８に記載のロック機構。
【００４６】
（付記１０）前記一方の部材に、前記キー部材が挿入可能な挿入口が設けられている、付記９に記載のロック機構。
【００４７】
（付記１１）前記第１の板金を保持した状態で前記第２の板金から前記第１の板金の側部の一部が露出するように、前記第２の板金には切欠きが設けられている、付記８から付記１０のいずれか１項に記載のロック機構。
【００４８】
（付記１２）前記他方の部材の前記突起部が挿入可能な間隔を置いて、前記一方の部材にガイドが２つ設けられている、付記８から付記１１のいずれか１項に記載のロック機構。
【００４９】
（付記１３）前記係止部として、前記ガイドに前記第１の板金が嵌る溝が設けられている、付記１２に記載のロック機構。
【００５０】
（付記１４）前記一方の部材の前記ガイドの側部に、前記第２の板金が配置可能な間隔を有した側壁がそれぞれ設けられている、付記１２または付記１３に記載のロック機構。
【００５１】
（付記１５）前記キー部材の先端はテーパー形状になっている、付記９に記載のロック機構。
【符号の説明】
【００５２】
１  ベース
１’ベースの外壁
１’’ベースの外面
２  カバー
２’カバーの外壁
２’’カバーの外面
３  スライド板金
３ａ切欠き部
３ｂ嵌り部
３ｃツメ部
３ｄ掛かり部
３ｅ開口部
４  ガイド板金
４ａ切欠き
４ｂスライド板金用穴
４ｃ穴
７  突起部
７ａ先端部
７ｂツメ穴
９  ガイド
９ａ溝
１０側壁
１１窪み
１１ａねじ穴
１２挿入口
１３隙間
２０組込み体
３０キー
３１テーパー部
【図１】
2012041985.tif 000003
【図２】
2012041985.tif 000004
【図３】
2012041985.tif 000005
【図４】
2012041985.tif 000006
【図５】
2012041985.tif 000007
【図６】
2012041985.tif 000008
【図７】
2012041985.tif 000009
【図８】
2012041985.tif 000010
【図９】
2012041985.tif 000011
【図１０】
2012041985.tif 000012
【図１１】
2012041985.tif 000013
【図１２】
2012041985.tif 000014
【図１３】
2012041985.tif 000015